(57)【要約】      （修正有）【課題】折り畳み式脚踏みの構造を提供する。【解決手段】互いに嵌合されて枢着される折り畳み可能の内踏み体１０と外踏み体２０との間において、軸方向の弾性部材３０により、内踏み体と外踏み体とを遠隔に付勢するように支持する折り畳み式脚踏みであって、外踏み体において、弾性部材が貫設される位置に、収納室２４が設けられ、また、該収納室の底部に、収納室と径方向に連通する貫通槽２５が設けられ、また、貫通槽と収納室と連通する位置にある貫通穴に弾性部材の抵当棒３１が突入し、適当な弾力を有するストッパー５０が該貫通槽に収納されて定位され、また、適当な位置に貫通孔５２を備え、ストッパー上の貫通孔が弾性部材の抵当棒に対応しない時、弾性部材の両端がそれぞれ内踏み体とストッパーにより固定される。【選択図】図２
0003135589.tif 000002
【実用新案登録請求の範囲】
【請求項１】
主として、互いに嵌合されて枢着される折り畳み可能の内踏み体と外踏み体との間において、軸方向の弾性部材により、内踏み体と外踏み体とを遠隔に付勢するように支持する折り畳み式脚踏みであって、該外踏み体において、弾性部材が貫設される位置に、収納室が設けられ、また、該収納室の底部に、収納室と径方向に連通する貫通槽が設けられ、また、貫通槽と収納室と連通する位置にある貫通穴に、弾性部材の抵当棒が突入し、適当な弾力を有するストッパーが、該貫通槽に収納されて定位され、また、適当な位置に貫通孔を備え、これにより、ストッパー上の貫通孔が弾性部材の抵当棒に対応しない時、弾性部材の両端が、それぞれ、内踏み体とストッパーにより固定され、また、外踏み体と内踏み体が、弾性部材の圧縮により折り畳まなく、また、ストッパー上の貫通孔の位置が弾性部材の抵当棒に対応する時、スライダが開放されて、強力の弾性部材により互いに抵当していない外踏み体と内踏み体を、容易に圧縮して折り畳むことができることを特徴とする、折り畳み式脚踏みの構造。
【請求項２】
該弾性部材に、抵当棒と圧縮バネが備えられることを特徴とする、請求項１に記載の折り畳み式脚踏みの構造。
【請求項３】
抵当棒に、それぞれ直径がやや大きい抵当端と、直径がやや小さい圧縮バネが貫設される棒体とが形成され、該圧縮バネが貫設された棒体が、収納室と貫通槽と連通する貫通空間を通すことができることを特徴とする、請求項２に記載の折り畳み式脚踏みの構造。
【請求項４】
該抵当棒の直径がやや小さい棒体端に、ストッパーと係合する小さい突出が設けられることを特徴とする、請求項２か３に記載の折り畳み式脚踏みの構造。
【請求項５】
該ストッパーの内側端に、弾性に抵当する圧縮バネが設けられることを特徴とする、請求項１に記載の折り畳み式脚踏みの構造。
【請求項６】
該ストッパーの外側端に、円弧状の折り部が設けられることを特徴とする、請求項１に記載の折り畳み式脚踏みの構造。
【請求項７】
該ストッパーの貫通孔の内側において、抵当棒の外端面上の小さい突出が係合される係合槽が設けられることを特徴とする、請求項１に記載の折り畳み式脚踏みの構造。
【請求項８】
該ストッパーの内側端から、圧縮バネが嵌設される支柱が延ばし、該圧縮バネの一端において、外踏み体の貫通槽の内側端に収納槽が設けられることを特徴とする、請求項１に記載の折り畳み式脚踏みの構造。
【考案の詳細な説明】
【技術分野】
【０００１】
本考案は、自転車の脚踏みに関し、特に、安全性と便利性を有する折り畳み式脚踏みに関する。
【背景技術】
【０００２】
既存の折り畳み式脚踏み構造は、主として、互いに嵌合されて枢着される折り畳みの内踏み体と外踏み体との間において、軸方向の弾性部材により、内踏み体と外踏み体とを遠隔に付勢するように支持し、この設計は、外踏み体と内踏み体との間に位置する弾性部材に、付勢する弾性力が足りなければ、内踏み体と外踏み体とが、容易に折り畳むように変形するため安全性が十分ではなく、また、折り畳む時、弾性部材に、比較的に大きい付勢弾力を有するため、ユーザーが大きい力で圧縮し折り畳まなければならなく、また、大きい力で圧縮する時、手が挟まれる恐れがある。
【考案の開示】
【考案が解決しようとする課題】
【０００３】
本考案の主な目的は、安全性と便利性を有する折り畳み式脚踏みの構造を提供する。
【課題を解決するための手段】
【０００４】
請求項１の考案は、主として、互いに嵌合されて枢着される折り畳み可能の内踏み体と外踏み体との間において、軸方向の弾性部材により、内踏み体と外踏み体とを遠隔に付勢するように支持する折り畳み式脚踏みであって、該外踏み体において、弾性部材が貫設される位置に、収納室が設けられ、また、該収納室の底部に収納室と径方向に連通する貫通槽が設けられ、また、貫通槽と収納室と連通する位置にある貫通穴に弾性部材の抵当棒が突入し、適当な弾力を有するストッパーが該貫通槽に収納されて定位され、また、適当な位置に貫通孔を備え、これにより、ストッパー上の貫通孔が弾性部材の抵当棒に対応しない時、弾性部材の両端が、それぞれ内踏み体とストッパーにより固定され、また、外踏み体と内踏み体が、弾性部材の圧縮により折り畳まなく、また、ストッパー上の貫通孔の位置が弾性部材の抵当棒に対応する時、スライダが開放されて、強力の弾性部材により互いに抵当していない外踏み体と内踏み体を、容易に圧縮して折り畳むことができることを特徴とする、折り畳み式脚踏みの構造である。
【０００５】
請求項２の考案は、該弾性部材に抵当棒と圧縮バネが備えられることを特徴とする、請求項１に記載の折り畳み式脚踏みの構造である。
【０００６】
請求項３の考案は、抵当棒に、それぞれ直径がやや大きい抵当端と直径がやや小さい圧縮バネが貫設される棒体とが形成され、該圧縮バネが貫設された棒体が、収納室と貫通槽と連通する貫通空間を通すことができることを特徴とする、請求項２に記載の折り畳み式脚踏みの構造である。
【０００７】
請求項４の考案は、該抵当棒の直径がやや小さい棒体端に、ストッパーと係合する小さい突出が設けられることを特徴とする請求項２か３に記載の折り畳み式脚踏みの構造である。
【０００８】
請求項５の考案は、該ストッパーの内側端に弾性に抵当する圧縮バネが設けられることを特徴とする、請求項１に記載の折り畳み式脚踏みの構造である。
【０００９】
請求項６の考案は、該ストッパーの外側端に円弧状の折り部が設けられることを特徴とする、請求項１に記載の折り畳み式脚踏みの構造である。
【００１０】
請求項７の考案は、該ストッパーの貫通孔の内側において、抵当棒の外端面上の小さい突出が係合される係合槽が設けられることを特徴とする、請求項１に記載の折り畳み式脚踏みの構造である。
【００１１】
請求項８の考案は、該ストッパーの内側端から圧縮バネが嵌設される支柱が延ばし、該圧縮バネの一端において、外踏み体の貫通槽の内側端に収納槽が設けられることを特徴とする、請求項１に記載の折り畳み式脚踏みの構造である。
【考案を実施するための最良の形態】
【００１２】
図１〜４は、本考案のより良い実施例であり、該折り畳み式脚踏みは、主として、互いに嵌合されて枢着される折り畳み可能の内踏み体１０と外踏み体２０との間において、軸方向の弾性部材３０により、内踏み体１０と外踏み体２０とを遠隔に付勢するように支持し、該内踏み体１０は、クランクが接続されるスピンドル軸１１があり、両側に対向するように外踏み体２０が接続されるためのＴ形状の摺動槽１２が設けられ、二つの摺動槽１２のやや狭い外側溝の中段において、適当な位置に、外側溝の幅より広い円形枢着口１２０が設けられ、また、該内踏み体１０において、スピンドル軸１１の近くの一側に、二つの摺動槽１２に対応する位置に、垂直的に摺動槽を貫通するようにピン４０を貫設するためのピン穴１３が設けられ、また、該外踏み体２０は、一端が開放する枠体２１で、内踏み体１０の両側の外縁に嵌設され、その両面の内側縁に、それぞれ、内踏み体１０と互いに嵌設するための対向するスライダ２２と枢軸２３とが設けられ、また、二つのスライダ２２は、開放端の内側に位置し、内踏み体１０のＴ形状摺動槽１２に嵌設するためのＴ形状柱体であり、また、二つの枢軸２３は、二つのスライダ２２と同じ高さで、二つのスライダ２２より内側に位置し、内踏み体１０の摺動槽１２に嵌設するための円柱体を有し、該円柱体の外端縁に、内踏み体１０のＴ形状摺動槽１２の直径が比較的に大きい溝漕に嵌設するための比較的に大きいフランジ２３０があり、また、フランジ２３０内の直径が比較的に小さい凸柱の上下端に、内踏み体１０のＴ形状摺動槽の外側溝に嵌設されるための切り面２３１が形成され、また、該フランジ２３０の直径が比較的に小さい柱体２３２の外径が、内踏み体１０のＴ形状摺動槽１２の外側溝よりやや広い円形枢着口１２０の孔径よりやや小さく、また、枠体２１の開放辺に対応する外辺框の中央に、外踏み体２０と内踏み体１０とを遠隔するように付勢して支持する弾性部材３０を収納する収納室２４が設けられ、また、該収納室２４の底部に、収納室２４と径方向に連通する、ストッパー５０を嵌設するための貫通槽２５が設けられ、また、貫通槽２５と収納室２４とを連通する貫通空間２４０に、弾性部材３０の抵当棒３１が通し、該弾性部材３０は、外踏み体２０の収納室２４に設けられ、抵当棒３１と圧縮バネ３２とが備えられ、抵当棒３１に、それぞれ、直径が比較的に大きい抵当端３１０と直径が比較的に小さい圧縮バネ３２が嵌設される突出段３１１が形成され、これにより、抵当棒３１が、適当な弾力で、内踏み体１０の軸心１１に対応する垂直面１４に抵当することができ、また、圧縮バネ３２が嵌設された突出段３１１は、収納室２４と貫通槽２５とを連通する貫通空間２４０を通し、そして、その端面に、ストッパー５０と係合して定位するため小さい突出３１２が設けられ、該ストッパー５０は、外踏み体２０の貫通槽に収納され、圧縮バネ６０により、貫通槽２５に対して、適当な弾力で変位でき、また、該ストッパー５０の外側端に、円弧状の折り部５１が設けられ、そして、該ストッパー５０の適当な位置に、貫通孔５２が設けられ、該貫通孔５２に、抵当棒３１の一端である直径が比較的に小さい突出段３１１が突入し、また、該ストッパー５０の貫通孔５０の裏面の内側において、抵当棒３１の外端面上の小さい突出３１２が係合される係合槽５３が設けられ、また、該ストッパー５０の内側端から、圧縮バネ６０が嵌設される支柱５４が延ばし、該圧縮バネ６０の一端において、外踏み体２０の貫通槽２５の内側端に、収納槽２５０が設けられ、これにより、該ストッパー５０が、貫通槽２５において、弾性的に変位でき、また、貫通孔５２の裏面にある係合槽５３により、抵当棒３１の外端面の小さい突出３１２が係合されて定位される。
【００１３】
図３〜６を参照しながら、本考案に係わる折り畳み式踏板は、主として、それぞれ、内踏み体１０の両側に形成されたＴ形状摺動槽１２と外踏み体２０の内側に形成されたスライダ２２と枢軸２３とにより、互い嵌合し、また、内踏み体１０において、スピンドル軸１１の近くの一側に、二つの摺動槽１２に対応する位置に、垂直的に摺動槽を貫通するように二つの両ピン４０が設けられ、また、二つのピン４０により、外踏み体２０のスライダ２２の内端縁に抵当し、該外踏み体２０が、弾性部材３０により、内踏み体１０と遠隔に付勢されて支持される時、内踏み体１０の封止点になり、また、外踏み体２０と内踏み体１０とが折り畳まれる時、枢軸２３と摺動槽１２の円形枢着口１２０とが対応するように枢着するため、折り畳むことができ、外踏み体２０が、内へ圧縮されて所定の位置まで変位されない時、折り畳むことができなく、また、外踏み体２０と内踏み体１０との間に、遠隔に付勢するように、弾性部材３０が支持され、圧縮して折り畳む時、弾性部材３０が伸縮しなければ折り畳むことができなく、そのため、本考案は、外踏み体２０において、弾性部材３０が嵌設された収納室２４の外側に、更に、収納室２４と径方向に連通する貫通槽２５が形成され、弾性部材３０に嵌設された圧縮バネ３２の抵当棒３１の突出段３１１が、収納室２４と貫通槽２５とを連通するための貫通空間２４０において、伸縮変位を行い、そのため、貫通槽２５のストッパー５０上の貫通孔５２が、抵当棒３１に対応していない時、弾性部材３０の両端が、それぞれ、内踏み体１０とストッパー５０との抵当により固定されるため、伸縮して変位することにより折り畳むことができない（図３と４のように）。
【００１４】
ユーザーが脚踏みを折り畳む時、ストッパー５０を内へ押えると、該ストッパー５０上の貫通孔５２の位置に、弾性部材３０の抵当棒３１が、対応するようになり、貫通孔５２に、圧縮バネ３２の抵当棒３１の一端に位置する直径が比較的に小さい突出段３１１が貫設されるため、弾性部材３０によりストッパー５０に対する封鎖が解除され、そのため、外踏み体２０が、内踏み体１０の方向へ、枢着位置まで押えられ、即ち、外踏み体２０の枢軸２３が、内踏み体１０の摺動槽１２の円形枢着口１２０の位置に到達し（図５と６のように）、これにより、外踏み体２０が、内踏み体１０の一辺に折り畳むことができ、また、折り畳むと同時に、該弾性部材３０が、内踏み体１０の外縁に沿って伸縮変位して、外踏み体２０と内踏み体１０との角度が９０度になる時、該弾性部材３０が、内踏み体１０の上端面１５や下端面に抵当して定位され（図７と８のように）、また、ユーザーが自転車を乗る時、直接的に外踏み体２０を、水平の位置に押しだすだけで、該外踏み体２０が、弾性部材３０の付勢により、内踏み体１０と係止するように固定され、また、同時に、該ストッパー５０も、弾性部材３０の抵当棒３１により元の位置に弾性的に抵当されるため、圧縮バネ６０により、貫通孔５２に付勢されて抵当棒３１に抵当するようになり、この時、外踏み体と内踏み体とが、固定され、そのため、折り畳み式脚踏みの安全性が確保される。
【００１５】
本考案は、外踏み体２０に、ストッパー５０が設置されるため、内踏み体１０と外踏み体２０に抵当する弾性部材３０が、強力の弾力で遠隔に付勢するように支持することが必要せず、容易に折り畳むことを実現できる。
【図面の簡単な説明】
【００１６】
【図１】本考案の折り畳んでいない時の立体概念図
【図２】本考案の立体分解図
【図３】本考案の折り畳んでいない時の上面局部の断面概念図
【図４】本考案の折り畳んでいない時の側面の断面概念図
【図５】本考案の折り畳んだ状態の上面局部の断面概念図
【図６】本考案の折り畳んだ状態の側面の断面概念図
【図７】本考案の折り畳んだ後の側面の断面概念図
【図８】本考案の折り畳んだ後の立体概念図
【符号の説明】
【００１７】
１０      内踏み体
１１      スピンドル軸
１２      摺動槽
１２０    円形枢着口
１３      ピン穴
１４      垂直面
２０      外踏み体
２１      枠体
２２      スライダ
２３      枢軸
２３０    フランジ
２３１    切り面
２３２    柱体
２４      収納室
２４０    貫通空間
２５      貫通槽
２５０    収納槽
３０      弾性部材
３１      抵当棒
３１０    抵当端
３１１    突出段
３１２    小さい突出
３２      圧縮バネ
４０      ピン
５０      ストッパー
５１      折り部
５２      貫通孔
５３      係合槽
５４      支柱
６０      圧縮バネ
【図１】
0003135589.tif 000003
【図２】
0003135589.tif 000004
【図３】
0003135589.tif 000005
【図４】
0003135589.tif 000006
【図５】
0003135589.tif 000007
【図６】
0003135589.tif 000008
【図７】
0003135589.tif 000009
【図８】
0003135589.tif 000010